(57)【要約】【課題】強度の信頼性をより一層向上させた多層ガラスを提供することを目的とする。【解決手段】第１のガラス板と、第２のガラス板と、第１のガラス板および第２のガラス板との間に配される中間ガラス板とを、中空層が形成されるように、少なくとも一部に乾燥剤が充填されたスペーサーを介し隔置して配し、第１のガラス板と第２のガラス板と中間ガラス板との周縁部をシール材により封着してなる多層ガラスにおいて、第１のガラス板の板厚をｔ１、第２のガラス板の板厚をｔ２、中間ガラス板の板厚をｔｍとするとき、中間ガラス板の板厚をｔ１＜ｔｍ、かつｔ２＜ｔｍとしたことを特徴とする多層ガラス。【選択図】図２
2016056064.tif 000002
【特許請求の範囲】
【請求項１】
第１のガラス板と、第２のガラス板と、第１のガラス板および第２のガラス板との間に配される中間ガラス板とを、中空層が形成されるように、少なくとも一部に乾燥剤が充填されたスペーサーを介し隔置して配し、第１のガラス板と第２のガラス板と中間ガラス板との周縁部をシール材により封着してなる多層ガラスにおいて、第１のガラス板の板厚をｔ１、第２のガラス板の板厚をｔ２、中間ガラス板の板厚をｔｍとするとき、中間ガラス板の板厚をｔ１＜ｔｍ、かつｔ２＜ｔｍとしたことを特徴とする多層ガラス。
【請求項２】
第１のガラス板と、第２のガラス板と、第１のガラス板および第２のガラス板との間に配される少なくとも１枚の中間ガラス板とを、中空層が形成されるように、少なくとも一部に乾燥剤が充填されたスペーサーを介し隔置して配し、第１のガラス板と第２のガラス板と中間ガラス板との周縁部をシール材により封着してなる多層ガラスにおいて、第１のガラス板の板厚をｔ１、第２のガラス板の板厚をｔ２、少なくとも１枚の中間ガラス板の板厚をｔｍ（ここにおいて、ｍは、３、４、または５であり、ｔ３は、第１のガラス板側から数えて１番目の中間ガラス板の板厚を示し、ｔ４は、第１のガラス板側から数えて２番目の中間ガラス板の板厚を示し、ｔ５は、第１のガラス板側から数えて３番目の中間ガラス板の板厚を示す。）とするとき、少なくとも１枚の中間ガラス板の板厚をｔ１＜ｔｍ、かつｔ２＜ｔｍとしたことを特徴とする多層ガラス。
【請求項３】
前記中間ガラス板として、板厚が１．７ｍｍ以上、７．４ｍｍ以下のガラス板を用いてなることを特徴とする請求項１または２に記載の多層ガラス。
【請求項４】
複数枚の中間ガラス板が、第１のガラス板および第２のガラス板との間に配され、３層以上の中空層が形成された多層ガラスであって、当該多層ガラスが建築物の窓部に施工した際に最も室外側に位置する中空層に面する中間ガラス板の板厚ｔｍを最も厚くしたことを特徴とする請求項２または３に記載の多層ガラス。
【請求項５】
第１のガラス板の板厚をｔ１、第２のガラス板の板厚をｔ２、少なくとも１枚の中間ガラス板の板厚をｔｍとするとき、ｔｍ−ｔ１、およびｔｍ−ｔ２が、０．３ｍｍ以上であることを特徴とする請求項２乃至４のいずれか１項に記載の多層ガラス。
【請求項６】
前記した第１のガラス板、第２のガラス板、および中間ガラス板の少なくともいずれか１枚のガラス板が、低放射ガラス板（Ｌｏｗ−Ｅガラス板）または化学強化ガラスであることを特徴とする請求項１乃至５のいずれか１項に記載の多層ガラス。
【発明の詳細な説明】
【技術分野】
【０００１】
本発明は、強度信頼性が高められた、複数枚のガラス板を備えた多層ガラスに関する。
【背景技術】
【０００２】
２枚のガラス板を、スペーサーを介して隔置し、中空層が形成されてなる複層ガラスは、断熱性及び防音性に優れており、住宅用、その他各種建造物の窓用として広く普及している。
又、３枚のガラス板を、乾燥剤が充填されたスペーサーを介してそれぞれ隔置して２層の中空層が形成された複層ガラスが、特許文献１として知られている。以下、２枚のガラス板および２枚のガラス板の間に少なくとも１枚以上の中間ガラス板をスペーサーを介してそれぞれ隔置して２層以上の中空層が形成された多層の中空層を有する複層ガラスを本明細書において多層ガラスと称する。
【０００３】
上記した特許文献１に記載の複層ガラスは、図４に示されるように、縦寸法および横寸法を合わせて３枚のガラス板１００、１０１、１０２を用意し、それぞれのガラス板の周縁部に中空層１１０、１１１が形成されるようにそれぞれ乾燥剤１１５入りスペーサー１２０、１２１を配し、ガラス板１００、１０１、１０２と、スペーサー１２０、１２１との間にブチルゴム系等の一次シール材１３０、１３１を塗工により形成するとともに、スペーサー１２０、１２１の外側のガラス板１００、１０１、１０２の端部の間の溝部にポリサルファイド系接着剤やシリコーン系接着剤等の二次シール材１４０、１４１を充填し、封止したものである。この複層ガラスにおいては、３枚のガラス板１００、１０１、１０２を同じ板厚とされている。
【０００４】
建造物の窓に使用される板ガラスにおける耐風圧設計においては、ガラスの許容風圧が、建造物の窓毎の設計風圧より上回る様に設計される。２枚のガラス板を、スペーサーを介して隔置し、中空層が形成されてなる複層ガラスにあっては、複層ガラスの耐風圧設計において、複層ガラスを構成している各板ガラスの種類、構成に応じて決められた係数を考慮して耐風圧強度が求められる。
上記した複層ガラスの設計荷重Ｐは、図５のようにガラス板２０およびガラス板２１にそれぞれ作用する分担荷重Ｐ´１とＰ´２とを足し合わせた値となる。そして、複層ガラスを構成する各ガラス板に、板厚の３乗に応じた分担荷重が作用するので、分担荷重Ｐ´１とＰ´２は、下式によって求められる。
Ｐ´１＝Ｐ・ｔ１３／（ｔ１３＋ｔ２３）
Ｐ´２＝Ｐ・ｔ２３／（ｔ１３＋ｔ２３）
図５において、ガラス板２０は、建造物の室外側のガラス板を示し、ガラス板２１は、建造物の室内側のガラス板を示した例であり、室外側のガラス板の外面側が荷重側となる例を示し、２２は、複層ガラスのスペーサーを示し、２３は、中空層（Ｌは層厚）を示している。
【０００５】
しかし、建造物の窓に使用される複層ガラスおいては、大気圧や気温などの環境変化により中空層内の圧力が変化し、その変化は、各ガラス板に分担される荷重を増加させることとなるので、その影響を考慮して、ガラス板２０およびガラス板２１にそれぞれ作用する分担荷重Ｐ１とＰ２は、下記式のように補正して算定される。
Ｐ１＝Ｐ´１／０．７５
Ｐ２＝Ｐ´２／０．７５
従って、複層ガラスの耐風圧設計は、複層ガラスに使用されるガラス板自身の許容風圧が、複層ガラスを構成する各ガラス板の分担風圧を上回る様にされる。
この場合、多層ガラスに加わる補正された全荷重Ｐは、Ｐ１＋Ｐ２となる。
板厚がｔ１、ｔ２、ｔ３の３枚のガラス板を、乾燥剤が充填されたスペーサーを介してそれぞれ隔置され、２層の中空層が形成された多層ガラスにおいても、上記した関係式を適用することによって、それぞれのガラス板の分担荷重を算出することができる。
一方、上記した多層ガラスにおける中間ガラス板は、その両面が中空層側に位置する。この中空層は、結露防止のためにスペーサーに充填された乾燥剤によって乾燥状態が維持されているので、水分の存在は微量である。一般に、ガラス板は、水分の存在下において、ガラス板表面に存在する微小なクラックの先端における応力腐食割れ等の静的疲労により、いわゆる強度疲労が生じるとされている。従って、多層ガラスの室外側および室内側のガラス板の外面は、大気に接することになり、水分の影響を受けて強度疲労が生じる。しかし、多層ガラスの中空層内は、乾燥状態であるため、多層ガラスの中間ガラス板の両面は、水分の存在による強度低下の影響を受けることがなく、強度疲労が生じることがない。
【０００６】
近年の３枚以上のガラス板を用いた多層ガラスの普及に伴い、強度の信頼性をより一層向上させた多層ガラスが要求されるようになってきた。
【先行技術文献】
【特許文献】
【０００７】
【特許文献１】特開２０１０−６６８４号公報
【発明の概要】
【発明が解決しようとする課題】
【０００８】
本発明は、上記した点に着目し、強度の信頼性をより一層向上させた多層ガラスの提供を目的とする。
【課題を解決するための手段】
【０００９】
本発明者は、鋭意検討した結果、本発明に至ったものであり、下記の多層ガラスを提供する。
（１）第１のガラス板と、第２のガラス板と、第１のガラス板および第２のガラス板との間に配される中間ガラス板とを、中空層が形成されるように、少なくとも一部に乾燥剤が充填されたスペーサーを介し隔置して配し、第１のガラス板と第２のガラス板と中間ガラス板との周縁部をシール材により封着してなる多層ガラスにおいて、第１のガラス板の板厚をｔ１、第２のガラス板の板厚をｔ２、中間ガラス板の板厚をｔｍとするとき、中間ガラス板の板厚をｔ１＜ｔｍ、かつｔ２＜ｔｍとしたことを特徴とする多層ガラス。
（２）第１のガラス板と、第２のガラス板と、第１のガラス板および第２のガラス板との間に配される少なくとも１枚の中間ガラス板とを、中空層が形成されるように、少なくとも一部に乾燥剤が充填されたスペーサーを介し隔置して配し、第１のガラス板と第２のガラス板と中間ガラス板との周縁部をシール材により封着してなる多層ガラスにおいて、第１のガラス板の板厚をｔ１、第２のガラス板の板厚をｔ２、少なくとも１枚の中間ガラス板の板厚をｔｍ（ここにおいて、ｍは、３、４、または５であり、ｔ３は、第１のガラス板側から数えて１番目の中間ガラス板の板厚を示し、ｔ４は、第１のガラス板側から数えて２番目の中間ガラス板の板厚を示し、ｔ５は、第１のガラス板側から数えて３番目の中間ガラス板の板厚を示す。）とするとき、少なくとも１枚の中間ガラス板の板厚をｔ１＜ｔｍ、かつｔ２＜ｔｍとしたことを特徴とする多層ガラス。
なお、本明細書において示されているガラス板の板厚は、ガラス関連の日本工業規格で定められている厚さおよびその許容差の基準、ならびにその基準に準じて解釈されるものする。例えば、２ｍｍの板厚のフロート板ガラスとは、１．９ｍｍ（板厚）±０．２ｍｍ（許容値）の板厚を指し、４ｍｍの板厚のフロート板ガラスとは、４．０ｍｍ（板厚）±０．３ｍｍ（許容値）の板厚を指す。
【００１０】
（３）前記中間ガラス板として、板厚が１．７ｍｍ以上、７．４ｍｍ以下のガラス板を用いてなることを特徴とする上記（１）または（２）に記載の多層ガラス。
（４）複数枚の中間ガラス板が、第１のガラス板および第２のガラス板との間に配され、３層以上の中空層が形成された多層ガラスであって、当該多層ガラスが建築物の窓部に施工した際に最も室外側に位置する中空層に面する中間ガラス板の板厚ｔｍを最も厚くしたことを特徴とする上記（２）または（３）に記載の多層ガラス。
（５）第１のガラス板の板厚をｔ１、第２のガラス板の板厚をｔ２、少なくとも１枚の中間ガラス板の板厚をｔｍとするとき、ｔｍ−ｔ１、およびｔｍ−ｔ２が、０．３ｍｍ以上であることを特徴とする上記（２）〜（４）のいずれかに記載の多層ガラス。
（６）前記した第１のガラス板、第２のガラス板、および中間ガラス板の少なくともいずれかの１枚のガラス板が、低放射ガラス板（Ｌｏｗ−Ｅガラス板）または化学強化ガラスであることを特徴とする（１）乃至（５）のいずれかに記載の多層ガラス。
【発明の効果】
【００１１】
本発明の多層ガラスにおいては、分担荷重が大きくなる厚いガラス板を、両面側が乾燥状態の高い中空層に接する中間ガラス板として使用しているので、中間ガラス板の強度疲労による強度低下を防止することができ、多層ガラスの強度の信頼性をより高めることができる。すなわち、多層ガラスの大気に接する室外側および室内側のガラス板よりも分担荷重が大きい中間ガラス板の方の強度が高くなっており、強度の信頼性をより高めることができる。
４．０ｍｍ厚の第１のガラス板、４．０ｍｍ厚の中間ガラス板、４．０ｍｍの第２のガラス板の構成の多層ガラス（多層ガラスの全体厚さは１２．０ｍｍ）に比べ、本発明の一実施態様である、３．０ｍｍ厚の第１のガラス板、６．０ｍｍ厚の中間ガラス板、３．０ｍｍの第２のガラス板の構成の多層ガラス（多層ガラスの全体厚さは１２．０ｍｍ）は、前者の多層ガラスと全体厚さが同じ厚さであるが、中間ガラス板として分担荷重の高い、板厚が厚いガラス板を使用しているので、多層ガラスの強度信頼性を高めることができる。
【図面の簡単な説明】
【００１２】
【図１】本発明に係る多層ガラスの一部断面概略斜視図。
【図２】本発明の一実施形態に係わる多層ガラスの一部省略概略断面図。
【図３】本発明の他の実施形態に係わる多層ガラスの一部省略概略断面図。
【図４】従来例の三重タイプの複層ガラスの一部切欠き横断面図。
【図５】本発明の多層ガラスを説明するための参考図。
【発明を実施するための形態】
【００１３】
本発明の多層ガラスを図１〜図３の図面に基づいて具体的に説明する。図面は、本発明の好ましい実施形態を例示したものであり、本発明は、例示の図面とその説明に限定されない。
図１は、本発明に係る多層ガラスの一部断面概略斜視図であり、同図において、１は多層ガラス、２は第１のガラス板、３は第２のガラス板、４は第１のガラス板２および第２のガラス板３の間に当該ガラス板と隔置して配された中間ガラス板、５ａ、５ｂは中空層、６はスペーサー、７は一次シール材、８は二次シール材を示す。
【００１４】
図２は、第１のガラス板２と第２のガラス板３とを隔置し、かつ１枚の中間ガラス板４を前記した第１のガラス板２および第２のガラス板３との間に中空層５ａ、５ｂが形成さるように配してなる２枚のガラス板と１枚の中間ガラス板４とを合計３枚有する三重タイプの多層ガラス（２層の中空層５ａ、５ｂを有する多層ガラス）の断面の例を示したもので（図１におけるＸ−Ｘ線断面図。図３も同様）で、図３は、第１のガラス板２と第２のガラス板３とを隔置し、かつ２枚の中間ガラス板４ａ、４ｂを前記した第１のガラス板２および第２のガラス板３との間に配してなる２枚のガラス板と２枚の中間ガラス板とを合計４枚有する四重タイプの多層ガラス（３層の中空層５ａ、５ｂ、５ｃを有する多層ガラス）の断面の例を示したものである。
【００１５】
図１〜３は、多層ガラス１を建築物の窓部に施工した際に、第１のガラス板２が室外側に位置し、第２のガラス板３が室内側に位置するようにした例である。
【００１６】
本発明の多層ガラスにおいては、第１のガラス板の板厚をｔ１、第２のガラス板の板厚をｔ２、中間ガラス板の板厚をｔｍとするとき、中間ガラス板の板厚をｔ１＜ｔｍ、かつｔ２＜ｔｍとなるように構成されている。
また、本発明の多層ガラスにおいては、第１のガラス板２の板厚をｔ１、第２のガラス板３の板厚をｔ２、少なくとも１枚の中間ガラス板４の板厚をｔｍ（ここにおいて、ｍは、３、４、または５であり、ｔ３は、第１のガラス板側から数えて１番目の中間ガラス板の板厚を示し、ｔ４は、第１のガラス板側から数えて２番目の中間ガラス板の板厚を示し、ｔ５は、第１のガラス板側から数えて３番目の中間ガラス板の板厚を示す。）とするとき、少なくとも１枚の中間ガラス板４の板厚ｔｍがｔ１＜ｔｍ、かつｔ２＜ｔｍとなるように構成されている。
図２に示した三重タイプの多層ガラス１においては、第１のガラス板２の板厚ｔ１、第２のガラス板３の板厚ｔ２、中間ガラス板４の板厚ｔ３が、ｔ１＜ｔ３、かつｔ２＜ｔ３の関係となっている。
【００１７】
図２の（ａ）に示した多層ガラスは、室外側の第１のガラス板２の板厚ｔ１と室外側の第２のガラス板の板厚ｔ２とを同一の設計板厚とした例であり、図２の（ｂ）は、室外側の第１のガラス板２の板厚ｔ１と室外側の第２のガラス板の板厚ｔ２とを異なる設計板厚とした例である。
図２の（ｂ）においては、室外側の第１のガラス板２の板厚ｔ１と室外側の第２のガラス板の板厚ｔ２と中間ガラス板４の板厚ｔ３とが、ｔ２＜ｔ１＜ｔ３の関係となっているが、ｔ１＜ｔ２＜ｔ３の関係となるようにしてもよい。
【００１８】
図３に示した四重タイプの多層ガラス１においては、第１のガラス板２の板厚ｔ１、第２のガラス板３の板厚ｔ２、中間ガラス板４ａの板厚ｔ３、中間ガラス板４ｂの板厚ｔ４が、ｔ１＜ｔ３、かつｔ２＜ｔ３の関係、またはｔ１＜ｔ４、かつｔ２＜ｔ４の関係となっている。
【００１９】
図３の（ａ）および（ｄ）に示した多層ガラスは、室外側の第１のガラス板２の板厚ｔ１と室内側の第２のガラス板３の板厚ｔ２とを同一の設計板厚とした例であり、図３の（ｂ）および（ｃ）は、室外側の第１のガラス板２の板厚ｔ１と室内側の第２のガラス板３の板厚ｔ２とを異なる設計板厚とした例である。
【００２０】
図３の（ａ）においては、中間ガラス板４ａの板厚ｔ３と中間ガラス板４ｂの板厚の板厚ｔ４とは、同一の設計板厚となっているが、ｔ３とｔ４とが、上記したｔ１＜ｔ３、かつｔ２＜ｔ３の関係、またはｔ１＜ｔ４、かつｔ２＜ｔ４の関係を満たす範囲で、ｔ３とｔ４の板厚が異なる設計板厚であってもよい。
また、図３の（ｄ）のように、中間ガラス板４ａの板厚ｔ３と中間ガラス板４ｂの板厚ｔ４とのいずれかが、ｔ１＜ｔ３、かつｔ２＜ｔ３の関係、またはｔ１＜ｔ４、かつｔ２＜ｔ４の関係を満たしていれば、ｔ３とｔ４との一方が室外側の第１のガラス板２の板厚ｔ１と室内側の第２のガラス板３の板厚ｔ２と同一の設計板厚であってもよいし、またｔ３とｔ４との一方が、室外側の第１のガラス板２の板厚ｔ１と室内側の第２のガラス板３の板厚ｔ２より薄い板厚であってもよい。
特に、ｔ３とｔ４とのいずれも、上記したｔ１＜ｔ３、かつｔ２＜ｔ３の関係を有するとともに、ｔ１＜ｔ４、かつｔ２＜ｔ４の関係を有するのが、強度の静的疲労が生じない中間ガラス板の荷重分担を高めることができ、強度信頼性向上の観点からは好ましい。
【００２１】
図２に示した三重タイプの多層ガラスの室外側の第１のガラス板２の板厚ｔ１と、室内側の第２のガラス板３の板厚ｔ２と、中間ガラス板４の板厚のｔ３との代表的な具体例を以下に例示する。なお、中空層の層厚Ｓ１およびＳ２は、１２ｍｍとした。
（１）ｔ１（３ｍｍ）／ｔ３（４ｍｍ）／ｔ２（３ｍｍ）
（２）ｔ１（３ｍｍ）／ｔ３（４ｍｍ）／ｔ２（１．３ｍｍ）
（３）ｔ１（３ｍｍ）／ｔ３（６．５ｍｍ）／ｔ２（３ｍｍ）
（４）ｔ１（６ｍｍ）／ｔ３（６．５ｍｍ）／ｔ２（３ｍｍ）
【００２２】
図３に示した四重タイプの多層ガラスの室外側の第１のガラス板２の板厚ｔ１と、室内側の第２のガラス板３の板厚ｔ２と、中間ガラス板４ａの板厚ｔ３と、中間ガラス板４ｂの板厚ｔ４の代表的な具体例を以下に例示する。なお、中空層の層厚Ｓ１、Ｓ２およびＳ３は、６〜１６ｍｍとした。
（１）ｔ１（３ｍｍ）／ｔ３（４ｍｍ）／ｔ４（４ｍｍ）／ｔ２（３ｍｍ）
（２）ｔ１（３ｍｍ）／ｔ３（４ｍｍ）／ｔ４（３ｍｍ）／ｔ２（３ｍｍ）
（３）ｔ１（３ｍｍ）／ｔ３（６．５ｍｍ）／ｔ４（３ｍｍ）／ｔ２（３ｍｍ）
（４）ｔ１（３ｍｍ）／ｔ３（６ｍｍ）／ｔ４（３ｍｍ）／ｔ２（３ｍｍ）
（５）ｔ１（６ｍｍ）／ｔ３（６．５ｍｍ）／ｔ４（３ｍｍ）／ｔ２（３ｍｍ）
【００２３】
上記した本発明の多層ガラスの例においては、中間ガラス板が１枚、または２枚の例について説明したが、中間ガラス板を３枚配して、ガラス板の枚数が合計５枚の五重タイプの多層ガラス（中空層が３層の多層ガラス）としてもよいし、また、中間ガラス板を４枚配して、ガラス板の枚数が合計６枚の六重タイプ多層ガラス（中空層が４層の多層ガラス）としてもよい。
【００２４】
上記した多層ガラスを構成する第１のガラス板２および第２のガラス板３の形状、板厚は、目的とされる多層ガラスの形状、寸法に応じて適宜、選ばれるが、通常の住宅用、その他建造物の窓に使用される場合には、一般的には、矩形の平板のガラス板であり、それぞれの板厚は、０．７ｍｍ〜１０ｍｍの範囲であり、複数枚のガラス板の矩形の寸法は、同一、又はほぼ同寸法であるのが好ましい。又、第１のガラス板２および第２のガラス板３は、板厚が異なっていてもよいし、種類が異なったガラス板であってもよい。又、ガラス板の種類としては、通常、建築用として用いられているフロートガラス板、普通ガラス板、熱線吸収ガラス板、紫外線吸収ガラス板、熱線反射ガラス板、低放射ガラス板（Ｌｏｗ−Ｅ（Ｌｏｗ−Ｅｍｉｓｓｉｖｉｔｙ）ガラス板）、型板ガラス、合わせガラス、線・網入りガラス板、倍強度ガラス、強化ガラス、化学強化ガラス（イオン交換強化ガラス）、耐熱強化ガラスや、これらの機能が複合化されたガラス板などを、目的とする要求仕様に応じて適宜使用することができる。
【００２５】
また、上記した中間ガラス板は、第１のガラス板および第２のガラス板の間の空間のガスの対流を少なくし、断熱性、防音性を高めるために配されるものである。かかる中間ガラス板は、第１のガラス板２および第２のガラス板３の形状、板厚に応じて、目的とされる多層ガラスの形状、寸法に応じて適宜、選ばれるが、通常の住宅用、その他建造物の窓に使用される場合には、一般的には、矩形の平板のガラス板である。そして、第１のガラス板２の板厚をｔ１、第２のガラス板３の板厚をｔ２、少なくとも１枚の中間ガラス板の板厚をｔｍ（ここにおいて、ｍは、３、４、または５であり、ｔ３は、室外側の第１のガラス板側から数えて１番目の中間ガラス板の板厚を示し、ｔ４は、室外側の第１のガラス板側から数えて２番目の中間ガラス板の板厚を示し、ｔ５は、第１のガラス板側から数えて３番目の中間ガラス板の板厚を示す。）とするとき、少なくとも１枚の中間ガラス板４の板厚ｔｍがｔ１＜ｔｍ、かつｔ２＜ｔｍとなるような構成を満足する板厚とされるが、具体的には、多層ガラスの全体の厚さを考慮すると、１．３ｍｍ〜７．４ｍｍの範囲が好ましい。
【００２６】
中間ガラス板を複数枚使用する場合には、同一の設計板厚であってもよいし、また異なる設計板厚であってもよいし、種類が異なるガラス板であってもよい。また、中間ガラス板の種類としては、第１のガラス板２および第２のガラス板３と同様に、建築用として用いられているフロートガラス板、普通ガラス板、熱線吸収ガラス板、紫外線吸収ガラス板、熱線反射ガラス板、低放射ガラス板（Ｌｏｗ−Ｅガラス板）、型板ガラス、合わせガラス、線・網入りガラス板、倍強度ガラス、強化ガラス、化学強化ガラス、耐熱強化ガラスや、これらの機能が複合化されたガラス板などを、目的とする要求仕様に応じて適宜使用することができる。
【００２７】
前記した第１のガラス板、第２のガラス板、および中間ガラス板の少なくともいずれかのガラス板として、低放射ガラス板（Ｌｏｗ−Ｅガラス板）を使用すれば、多層ガラスの断熱性および遮熱性を向上させることができる。
また、化学強化ガラスを使用すれば、化学強化ガラスは、板厚が２．０ｍｍ以下でも、充分に高い破壊強度を有するので、例えば０．７〜２．０ｍｍ程度の板厚とすることができ、フロートガラス板、普通ガラス板の場合のガラス板の板厚（例えば、３〜６ｍｍ）よりも薄板化が図ることができ、多層ガラスの軽量化及び薄板化をより図ることができる。
【００２８】
第１のガラス板２と中間ガラス板４、第２のガラス板３と中間ガラス板４、または中間ガラス板４ａ、４ｂ同士を隔置し、中空層５ａ、５ｂ、または中空層５ａ、５ｂ、５ｃが形成されるように配するスペーサー６としては、通常の複層ガラスにおいて使用されている略角筒状のアルミニウム製のスペーサーや、合成樹脂製のスペーサーを使用することができる。略角筒状のアルミニウム製のスペーサーの場合には、このスペーサーの空間部に結露防止のための乾燥剤が充填されたものが使用でき、また合成樹脂製のスペーサーの場合には、合成樹脂の内部に結露防止のための乾燥剤が充填されたものが使用できる。また、略角筒状のアルミニウム製のスペーサーの場合には、中空層側の内面部には、図２に示されるような溝部９を設けることが好ましい。この溝部９は、スペーサー６の空間部と中空層５との間を通気可能にするように形成されたものであり、通気孔を通してスペーサー６の空間部に充填された乾燥剤により中空層の乾燥状態を維持し、結露を防止できる。図３に示したスペーサー６においても、同様な構造が採用される。
【００２９】
なお、乾燥剤は、例えば、矩形形状の多層ガラスのいずれか一辺のスペーサーに充填してもよいし、複数辺のスペーサーに充填してもよいし、また、一辺のスペーサーの一部に部分的に充填してもよい。
また、本発明の多層ガラスの中空層には、乾燥空気、あるいは不活性ガス（アルゴンガス、クリプトンガス等）の封入ガスが充填され、断熱性及び／又は防音性が高められる。
第１のガラス板２、第２のガラス板３および中間ガラス板４（４ａ、４ｂ）が矩形状である場合、これら複数枚のガラス板は、その周縁の４辺（即ち、下辺側、左辺側、右辺側及び上辺側）において前記したスペーサー６により隔置されるが、下辺側、左辺側、右辺側及び上辺側のスペーサー６のそれぞれが突き合わされる４つの角のコーナーにおいては、コーナーブロックを差し込み、それぞれのスペーサー６が連結される。
【００３０】
本発明の多層ガラスは、第１のガラス板２と第２のガラス板３と中間ガラス板４（４ａ、４ｂ）との周縁部がシール材により封着されている。このシール材は、通常、一次シール材と二次シール材とに機能分担されている構成とするのが好ましい。
より具体的には、多層ガラスの第１のガラス板２とスペーサー６の側面部、中間ガラス板４とスペーサー６の側面、および第２のガラス板３とスペーサー６の側面部の接着に一次シール材７が使用される。この一次シール材７としては、ガラス板とスペーサー部の側辺部との間の優れた接着強度、透湿防止性、耐久性、封着性、良好な接着面、塗工作業性等が得られるように、適宜の接着材が選択される。例えば、ブチルゴム系接着材などが好ましく使用できる。
また、第１のガラス板２および第２のガラス板３の周縁部であって、スペーサー６の外側の第１のガラス板２および第２のガラス板３の間の封着に二次シール材が使用される。この二次シール材としては、充分な封着性、気密性、耐久性、充填作業性等が得られるように、適宜のシール材が選択される。例えば、ポリサルファイド系接着剤、シリコーン系接着、ウレタン系接着剤などが好ましく使用できる。
【００３１】
（実施例）
図２の（ａ）に示した様に、第１のガラス板２と中間ガラス板４と第２のガラス板３とをスペーサー６、６により隔置し、２層の中空層５ａ、５ｂが形成された多層ガラスであって、ガラス板、中間ガラス板、第２のガラス板の各板厚を表１に示すようにした板厚構成の多層ガラスについて、分担荷重および強度信頼性を評価した結果を同表１に示した。
【００３２】
【表１】
2016056064.tif 000003
【００３３】
表１に示されるように、中間ガラス板として、第１のガラス板および第２のガラス板よりも厚い中間ガラス板を用いた本発明の多層ガラスは、分担荷重が大きく、強度信頼性が高い。
【産業上の利用可能性】
【００３４】
本発明の多層ガラスによれば、分担荷重が大きくなる厚いガラス板を、両面側が乾燥状態の高い中空層に接する中間ガラス板として使用しているので、中間ガラス板の強度疲労による強度低下を防止することができ、多層ガラスの強度の信頼性をより高めることができ、建造物の窓部に使用される多層ガラスとして特に有用である。
【符号の説明】
【００３５】
１：多層ガラス、  ２：第１のガラス板、  ３：第２のガラス板、  ４：中間ガラス板、  ５（ａ）、５（ｂ）：中空層、  ６：スペーサー、  ７：一次シール材、  ８：二次シール材、  ９：溝部、  ２０：室外側のガラス板、  ２１：室内側のガラス板、  ２２：スペーサー、  ２３：中空層。
【図１】
2016056064.tif 000004
【図２】
2016056064.tif 000005
【図３】
2016056064.tif 000006
【図４】
2016056064.tif 000007
【図５】
2016056064.tif 000008